(57)【要約】【課題】  環境にやさしく且つ色による識別の容易化が実現可能な新規な融解・凝固式ワーク固定剤を提供する。【解決手段】  融解および凝固を利用してワークの固定を行う融解・凝固式ワーク固定剤１２において、硝酸カルシウム四水和物、ポリエチレングリコールおよびパラフィンのうちのいずれかからなるとともに、常温以上の融点を有するものであり、さらに、クレヨンや食用色素、染料等の有色の顔料が添加されている。【選択図】        図１
2005131759.tif 000002
【特許請求の範囲】
【請求項１】
融解および凝固の形態変化が可能な融解・凝固式組成物において、
硝酸カルシウム四水和物、ポリエチレングリコールおよびパラフィンのうちのいずれかからなるとともに、常温以上の融点を有するものであり、
さらに、有色の顔料が添加されていることを特徴とする融解・凝固式組成物。
【請求項２】
融解および凝固を利用してワークの固定を行う融解・凝固式ワーク固定剤において、
硝酸カルシウム四水和物、ポリエチレングリコールおよびパラフィンのうちのいずれかからなるとともに、常温以上の融点を有するものであり、
さらに、有色の顔料が添加されていることを特徴とする融解・凝固式ワーク固定剤。
【請求項３】
紙製の円筒体（１００）の内部に、融解および凝固の形態変化が可能な組成物であって硝酸カルシウム四水和物、ポリエチレングリコールおよびパラフィンのうちのいずれかからなるとともに常温以上の融点を有する融解・凝固式組成物（１２）が、充填されてなることを特徴とする融解・凝固式組成物の被覆体。
【請求項４】
紙製の円筒体（１００）の内部に、融解および凝固を利用してワークの固定を行う固定剤であって硝酸カルシウム四水和物、ポリエチレングリコールおよびパラフィンのうちのいずれかからなるとともに常温以上の融点を有する融解・凝固式ワーク固定剤（１２）が、充填されてなることを特徴とする融解・凝固式ワーク固定剤の被覆体。
【請求項５】
融解および凝固の形態変化が可能な融解・凝固式組成物において、
硝酸カルシウム四水和物、ポリエチレングリコールおよびパラフィンのうちのいずれかからなるとともに、常温以上の融点を有するものであり、
さらに、導電性のパウダーが添加されていることを特徴とする融解・凝固式組成物。
【請求項６】
融解および凝固を利用してワークの固定を行う融解・凝固式ワーク固定剤において、
硝酸カルシウム四水和物、ポリエチレングリコールおよびパラフィンのうちのいずれかからなるとともに、常温以上の融点を有するものであり、
さらに、導電性のパウダーが添加されていることを特徴とする融解・凝固式ワーク固定剤。
【発明の詳細な説明】
【技術分野】
【０００１】
本発明は、融解および凝固の形態変化が可能な融解・凝固式組成物、および、それ自身の融解および凝固を利用してワークの固定を行う融解・凝固式ワーク固定剤、ならびにこれらの被覆体に関する。
【背景技術】
【０００２】
従来より、融解および凝固の形態変化が可能な融解・凝固式組成物としてそれ自身の融解および凝固を利用してワーク（加工物）の固定を行うようにした融解・凝固式ワーク固定剤が知られている。
【０００３】
このような融解・凝固式ワーク固定剤は、磁石式ワーク固定法が使えないステンレス、非鉄金属、セラミックスなどの材料でできたワーク、その場合でも特に薄板や強度が弱くて壊れやすいものを固定して、切削加工等の機械加工を行うような場合などに用いて有効である。
【０００４】
このような機械加工法としては、たとえば、固定用面に固定されたワークにクーラント（加工液）をかけながら機械加工する加工法が提案されており、薄板や壊れやすい形状のワークを機械加工する際のワーク固定法のひとつとして、冷凍チャックがある（たとえば、特許文献１参照）。このものでは、融解・凝固式ワーク固定剤として、たとえばシリコンオイル系凝固剤を用いている。
【特許文献１】特許第２９９２７７０号公報
【発明の開示】
【発明が解決しようとする課題】
【０００５】
しかしながら、従来のシリコンオイルを凝固剤に用いた場合、シリコンオイルは高価であり、また、シリコンオイルは環境負荷物質であって、公害の点で難点があるという問題がある。
【０００６】
さらに、このような物質の融解・凝固を利用してワークを固定する固定剤としては、用途に応じて色々な種類のものが要求される。しかしながら、従来では、この固定剤の品数が少ないため、用途が限定されたり、使い勝手が悪いという欠点がある。
【０００７】
具体的には、融解・凝固式ワーク固定剤は、透明であるため、ガラスなどの透明なワークを加工するときにワークとの識別が困難であるという問題がある。
【０００８】
また、この融解・凝固式ワーク固定剤は、作業者にとって手で持ちにくかったり、また、割れや変形が発生しやすいなど、取り扱いにくいといった問題がある。
【０００９】
また、この融解・凝固式ワーク固定剤は、電気的に絶縁性であるため、ワークを放電加工するときに、使用しにくいという問題がある。
【００１０】
なお、これらの問題は、それ自身の融解および凝固を利用してワークの固定を行うようにした融解・凝固式ワーク固定剤だけでなく、融解および凝固の形態変化が可能な融解・凝固式組成物であれば、共通して発生する問題であると考えられる。
【００１１】
そこで、本発明は、上記した諸問題の少なくとも１つを解決できるような新規な融解・凝固式組成物、および、融解・凝固式ワーク固定剤を提供できるようにすることを目的とする。
【課題を解決するための手段】
【００１２】
上記目的を達成するため、請求項１に記載の発明では、融解および凝固の形態変化が可能な融解・凝固式組成物において、硝酸カルシウム四水和物、ポリエチレングリコールおよびパラフィンのうちのいずれかからなるとともに、常温以上の融点を有するものであり、さらに、有色の顔料が添加されていることを特徴としている。
【００１３】
ここで、常温以上の融点を有する、すなわち常温で固体である硝酸カルシウム四水和物、ポリエチレングリコールおよびパラフィンは、安価且つ公害の心配がなく環境にやさしい固定剤として、本発明者らが鋭意検討した結果、見出したものである。
【００１４】
また、本発明の組成物は色が付いたものになるため、融解・凝固式ワーク固定剤として用いた場合には、従来の透明な固定剤に比べて、作業者が固定剤を認識しやすくなる。そのため、たとえば、透明なワークとの識別が容易化するなど、作業の効率化に寄与することができる。
【００１５】
また、本発明の組成物は、融解および凝固の形態変化が可能な色付きの組成物であるため、融解・凝固式ワーク固定剤として用いる場合以外にも、たとえば温度センサ等にも用いることができる。具体的には、当該組成物の溶け具合を認識することにより、おおよその温度がわかる。
【００１６】
以上のように、本発明によれば、環境にやさしく且つ色による識別の容易化が実現可能な新規な融解・凝固式組成物を提供することができる。
【００１７】
請求項２に記載の発明では、融解および凝固を利用してワークの固定を行う融解・凝固式ワーク固定剤において、硝酸カルシウム四水和物、ポリエチレングリコールおよびパラフィンのうちのいずれかからなるとともに、常温以上の融点を有するものであり、さらに、有色の顔料が添加されていることを特徴としている。
【００１８】
それによれば、本発明の融解・凝固式ワーク固定剤は、環境にやさしい物質からなるとともに色が付いたものになるため、従来の透明な固定剤に比べて、作業者が固定剤を認識しやすくなる。
【００１９】
よって、本発明によれば、環境にやさしく且つ色による識別の容易化が実現可能な新規な融解・凝固式ワーク固定剤を提供することができる。
【００２０】
請求項３に記載の発明では、紙製の円筒体（１００）の内部に、融解および凝固の形態変化が可能な組成物であって硝酸カルシウム四水和物、ポリエチレングリコールおよびパラフィンのうちのいずれかからなるとともに常温以上の融点を有する融解・凝固式組成物（１２）が、充填されてなることを特徴としている。
【００２１】
それによれば、環境にやさしい物質からなる融解・凝固式組成物（１２）が、紙製の円筒体（１００）の内部に充填され、当該融解・凝固式組成物（１２）は円筒体（１００）にて被覆保護された形になる。つまり、本発明では、融解・凝固式組成物の被覆体が提供される。
【００２２】
そのため、作業者は、紙製の円筒体（１００）を手で持つようにすればよく、また、円筒体（１００）による融解・凝固式組成物（１２）の保護がなされるため、融解・凝固式組成物（１２）の割れや変形が発生しにくくなる。
【００２３】
よって、本発明によれば、環境にやさしく且つ取り扱い性にすぐれた新規な融解・凝固式組成物を提供することができる。
【００２４】
請求項４に記載の発明では、紙製の円筒体（１００）の内部に、融解および凝固を利用してワークの固定を行う固定剤であって硝酸カルシウム四水和物、ポリエチレングリコールおよびパラフィンのうちのいずれかからなるとともに常温以上の融点を有する融解・凝固式ワーク固定剤（１２）が、充填されてなることを特徴としている。
【００２５】
それによれば、融解・凝固式ワーク固定剤（１２）は、環境にやさしい物質からなるとともに、融解・凝固式ワーク固定剤の被覆体が提供されるので、作業者が手で持ちやすく且つ融解・凝固式ワーク固定剤（１２）の割れや変形が発生しにくくなる。
【００２６】
よって、本発明によれば、環境にやさしく且つ取り扱い性にすぐれた新規な融解・凝固式ワーク固定剤を提供することができる。
【００２７】
請求項５に記載の発明では、融解および凝固の形態変化が可能な融解・凝固式組成物において、硝酸カルシウム四水和物、ポリエチレングリコールおよびパラフィンのうちのいずれかからなるとともに、常温以上の融点を有するものであり、さらに、導電性のパウダーが添加されていることを特徴としている。
【００２８】
本発明によれば、環境にやさしく且つ導電性を有する新規な融解・凝固式組成物を提供することができる。
【００２９】
そのため、本発明の組成物を、融解・凝固式ワーク固定剤として用いる場合には、放電加工用の固定剤としても適切に採用することができる。また、それ以外にも、たとえば、電極等として用いることができる。
【００３０】
請求項６に記載の発明では、融解および凝固を利用してワークの固定を行う融解・凝固式ワーク固定剤において、硝酸カルシウム四水和物、ポリエチレングリコールおよびパラフィンのうちのいずれかからなるとともに、常温以上の融点を有するものであり、さらに、導電性のパウダーが添加されていることを特徴としている。
【００３１】
それによれば、本発明の融解・凝固式ワーク固定剤は、環境にやさしい物質からなるとともに導電性を有するものになる。そのため、本発明によれば、従来の電気的に絶縁性を有する固定剤に比べて、環境にやさしく且つ放電加工用の固定剤としても適切に採用することのできる新規な融解・凝固式ワーク固定剤を提供することができる。
【００３２】
なお、上記各手段の括弧内の符号は、後述する実施形態に記載の具体的手段との対応関係を示す一例である。
【発明を実施するための最良の形態】
【００３３】
以下、本発明の実施形態について図に基づいて説明する。
【００３４】
（第１実施形態）
融解および凝固の形態変化が可能な融解・凝固式組成物である融解・凝固式ワーク固定剤は、機械加工等において固定台にワーク（加工物）を固定するために用いられるものであるが、本実施形態では、固定用面に固定されたワークにクーラント（加工液）をかけながら機械加工する加工法における固定剤として用いられるものとしている。
【００３５】
図１は本発明の第１実施形態に係る機械加工法に用いられる加工装置の全容を概略的に示す図である。また、図２は図１中のワーク固定台１４の近傍部を示す拡大図である。
【００３６】
図１に示す装置は、大きくは、クーラント１９を貯蔵するクーラント貯蔵部Ａ、ワーク１３を固定し機械加工するワーク加工部Ｂからなり、これら両部Ａ、Ｂの間をクーラント１９が循環するようになっているものである。
【００３７】
ここにおいて、クーラント１９の循環は、図示しない循環ポンプ等を用い、クーラント吸い込み口６およびクーラント戻り口７を有するクーラントホース８にて行われるようになっている。
【００３８】
図１において、投げ込みクーラ本体１は冷却パイプ２を有する汎用のものでクーラント１９を冷却するクーラント冷却装置として構成されている。冷却パイプ２はクーラント槽５に投げ込まれ、本体１により冷却パイプ２の温度を制御することで、クーラント槽５内のクーラント１９を冷やすことができるようになっている。
【００３９】
この投げ込みクーラ本体１には、水温センサ３が設けられている。この水温センサ３はクーラント槽５内のクーラント１９の温度をモニタするものであり、水温センサ３と投げ込みクーラ本体１とが連動してクーラント１９を設定温度に保持することができるようになっている。
【００４０】
クーラント槽は、仕切壁で区画されたクーラント第１沈殿槽４とクーラント第２沈殿槽５とからなる。
【００４１】
クーラント第１沈殿槽４は、加工後の削り屑を含んだクーラントがクーラント戻り口７から戻ってきて蓄えられるところであり、当該クーラントを図示しないフィルタなどでろ過したり、削り屑をクーラント第１沈殿槽４の底に沈殿させたりすることでクーラントをきれいにするようにしている。
【００４２】
そして、クーラント第１沈殿槽４できれいになったクーラント１９の上澄み液が、上記仕切壁を越えてクーラント第２沈殿槽５へ流れ込むようになっている。
【００４３】
そして、この第２沈殿槽５内のクーラント１９は、たとえば上記クーラント冷却装置１、２によって常温以下にされ、クーラント吸い込み口６から吸込まれ、再びワーク加工部Ｂに回される。
【００４４】
このようにクーラント貯蔵部Ａは、クーラント冷却装置としての投げ込みクーラ本体１および冷却パイプ２、水温センサ３、両沈殿槽４、５から構成されている。
【００４５】
ワーク加工部Ｂは、加工機本体９を有する。加工機本体９の上には、危険防止用の砥石カバー１０を有する回転砥石１１が設けられ、固定剤１２を介してワーク１３が固定用面としてのワーク固定台１４に固定されている。ここで、特に限定するものではないが、ワーク１３としては、ステンレス、非鉄金属、セラミックスなどの材料でできた薄板や強度が弱くて壊れやすいものを採用できる。
【００４６】
このワーク固定台１４は、テーブル１５によってワーク加工時に前後左右に動かされるようになっている。
【００４７】
ここで、ワーク固定台１４に固定されたワーク１３には、クーラント１９をかけながら回転砥石１１による切削加工が施され、クーラント１９によって切り屑が除去されるが、ワーク固定台１４およびテーブル１５の下側には、当該加工中にクーラント１９が流れ落ちるクーラント受け１６が設けられている。
【００４８】
また、クーラント貯蔵部Ａからクーラントホース８を通ってワーク加工部Ｂへ供給されるクーラント１９は、クーラントホース８に取り付けられたクーラント散布口１７から散布され、ワーク１３に振り掛けられるようになっている。このクーラント散布口１７からのクーラント１９の流出量はクーラント開閉コック１８によってコントロールするようにしている。
【００４９】
このように、ワーク加工部Ｂは、加工機本体９、砥石カバー１０、回転砥石１１、ワーク固定台１４、テーブル１５、クーラント受け１６、クーラント散布口１７、クーラント開閉コック１８により実質的に構成されている。
【００５０】
そして、上述したように、クーラント貯蔵部Ａとワーク加工部Ｂの間をクーラント１９が循環するようになっており、貯蔵部Ａにてクーラント吸い込み口６から吸い込まれたクーラント１９は、クーラントホース８を通ってクーラント散布口１７からワーク加工部Ｂへ散布され、クーラント戻り口７から再び貯蔵部Ａに戻るようになっている。
【００５１】
ここにおいて、ワーク１３を固定用面に固定する固定剤１２は、融解および凝固の形態変化が可能な融解・凝固式組成物であり、それ自身の融解および凝固を利用してワークの固定を行う融解・凝固式ワーク固定剤である。
【００５２】
詳しくは、本実施形態の固定剤１２は、硝酸カルシウム四水和物、ポリエチレングリコールおよびパラフィンのうちのいずれかからなるとともに、常温以上の融点を有するもの、すなわち常温で固体のものであって、さらに、有色の顔料が添加されている固定剤である。なお、常温とは２０〜３０℃程度の室温であり、例えば２５℃である。
【００５３】
ここで、硝酸カルシウム四水和物は、融点が４３℃程度である。また、ポリエチレングリコールとしては、たとえば、分子量１５４０のもの（融点４６℃）や分子量６０００のもの（融点５９℃）、さらには分子量４００万のもの（融点６６℃）などを採用することができる。
【００５４】
また、パラフィンとしては、たとえば、融点が４２℃ぐらいから１００℃程度まで色々なものが市販品として入手することができる。これらポリエチレングリコールやパラフィンは、分子量が大きいほど融点が高くなるので、多数ある市販品の中から用途に応じた融点のものを選択できる利点がある。
【００５５】
また、顔料としては、通常の無機や有機の顔料を採用することができる。限定するものではないが、絵画用のクレヨンや食用色素、反応性染料、天然髪染め染料等を採用することができる。
【００５６】
このように、本実施形態の固定剤１２は、無色である硝酸カルシウム四水和物、ポリエチレングリコールおよびパラフィンといった固定剤成分に有色の顔料を添加することにより、色付きのものとなっている。
【００５７】
また、この場合、クーラント１９を冷却する必要があり、上記加工装置においてクーラント冷却装置としての投げ込みクーラ本体１および冷却パイプ２、水温センサ３を作動させた状態で機械加工を行う。
【００５８】
このように、クーラント１９を用いて機械加工する場合、上述した常温以上の融点を有する固定剤１２を用い、この固定剤１２の凝固によってワーク１３をワーク固定台（固定用面）１４に固定する。
【００５９】
当然、これらの固定剤１２は室温で固体なので、ワーク１３の固定は次のように行う。まず、ワーク固定台１４にドライヤーの温風を当てる等により固定用面を固定剤１２の融点以上に加熱し、その上に固体状態の固定剤１２を配置して融解状態とし、この状態でワーク１３を配置する。
【００６０】
その後、室温に戻して固定剤１２を凝固させることによりワーク１３が固定される。このとき、室温に戻すために室温のクーラント１９をワーク固定台１４の周辺に振り掛けても良い。ただし、融解状態の固定剤１２が流れてしまわないように、クーラント１９は、ワーク固定台１４自身には振りかからないようにし、ワーク固定台１４周辺のテーブル１５に振り掛けるようにする。
【００６１】
その後は、上記図１に示す加工装置において、クーラント１９を用いて問題なく機械加工が実施可能となる。
【００６２】
ところで、本実施形態によれば、融解・凝固式組成物である融解・凝固式ワーク固定剤１２として、硝酸カルシウム四水和物、ポリエチレングリコールおよびパラフィンのうちのいずれかからなるとともに、常温以上の融点を有するものであり、さらに、有色の顔料が添加されていることを特徴とした固定剤１２が提供される。
【００６３】
ここで、常温以上の融点を有する、すなわち常温で固体である硝酸カルシウム四水和物、ポリエチレングリコールおよびパラフィンは、安価且つ公害の心配がなく環境にやさしい固定剤として、本発明者らが鋭意検討した結果、見出したものである。
【００６４】
また、本実施形態の固定剤１２は色が付いたものになるため、従来の透明な固定剤に比べて、作業者が固定剤１２を認識しやすくなる。そのため、たとえば、透明ガラス等の透明なワーク１３との識別が容易化するなど、現場での作業や管理の効率化に寄与することができる。
【００６５】
また、本実施形態の固定剤１２は、融解および凝固の形態変化が可能な色付きの組成物であるため、融解・凝固式ワーク固定剤として用いる場合以外にも、たとえば温度センサ等にも用いることができる。
【００６６】
温度センサとして用いる場合には、当該固定剤１２の溶け具合を認識することにより、おおよその温度がわかる。つまり、本実施形態の固定剤１２は、色付きであるため、人がその溶け具合を容易に認識でき、当該固定剤１２が溶けだしたときは、その固定剤１２の温度は当該固定剤１２の融点になっていることが認識者に知らされる。
【００６７】
このように、本実施形態によれば、環境にやさしく且つ色による識別の容易化が実現可能な新規な融解・凝固式組成物としての凝固剤１２を提供することができる。
【００６８】
このような本実施形態の固定剤１２の作製にあたっては、融解した無色の固定剤、すなわち融解した硝酸カルシウム四水和物、ポリエチレングリコールまたはパラフィンの中に、色々な無機や有機の顔料を添加することにより、さまざまな有色の固定剤１２を得ることができる。
【００６９】
たとえば、固体のパラフィンを融点以上に加熱して、これに絵画用のクレヨン（サクラ製、商品名：ＬＹ２５、２５色）をわずかに添加するだけで、２５色の様々の色の固定剤１２を得ることができる。
【００７０】
また、ポリエチレン・グリコールの場合は同じく融点以上に加熱して食用色素赤（共立食品製、デキストリン８５％、食用赤色１０２号１５％）、反応性染料、天然髪染め染料ヘナ（商品名：へナアルファリフレックスシャンプ−、色：ブラックブラウン、マレ−シア原産、発売元：有限会社ウエスト）などをやはり微量添加するだけで、好みの色の固定剤１２を得ることができる。
【００７１】
限定するものではないが、次に、本実施形態の色付きの固定剤１２の具体例を挙げて説明しておく。
【００７２】
［具体例１］
融点７５℃のパラフィンを融点以上に加熱して絵画用クレヨン（サクラ製ＬＹ２５）の赤色を２５重量％添加した。このものを均一に混じるように攪拌した後、冷却固化し、本例の固定剤１２として赤色固定剤を作製した。
【００７３】
この固定剤を透明ガラスの精密研削におけるワークの固定に使用した。まず固定台を１００℃に加熱した後、この固定剤を固定台に塗布し、液体状態のうちに透明ガラスをその上に置き室温の研削水で冷却して固定した。本例では、固定剤が赤色なので透明なガラスとの区別がつきやすいので、その後の研削加工などが容易である。
【００７４】
［具体例２］
融点５１℃、５３℃、５５℃、５７℃、５９℃、６１℃、６３℃、６５℃、６７℃、６９℃、７１℃の１１種類のパラフィンを、それぞれ融点以上に加熱して絵画用クレヨン（サクラ製ＬＹ２５、２５色）のいずれかの色を１０重量％添加した。
【００７５】
クレヨンがパラフィンと、均一に混じるように攪拌したのち、室温まで冷却した。これにより、本例の固定剤１２として１１種類の色の異なる固定剤を作製した。これらの１１種類の固定剤は、２℃毎に融点が違うとともに異なる色を持つので、その融解・凝固温度の違いによって温度センサとして使うことができる。
【００７６】
そして、熱電対やサーモビユアが使いにくい個所に、この色の違う固定剤を塗布しておけば、その溶け具合によって物温を測定することができる。また、各々色が違うので現場での識別が容易であるというメリットがある。
【００７７】
（第２実施形態）
本発明の第２実施形態では、環境にやさしく且つ取り扱い性にすぐれた新規な融解・凝固式組成物としての融解・凝固式ワーク固定剤を実現するため、当該固定剤の被覆体を提供するものである。図３は、本実施形態に係る被覆体２００の外観斜視構成を示す図である。
【００７８】
本実施形態の被覆体２００は、紙製の円筒体１００の内部に、硝酸カルシウム四水和物、ポリエチレングリコールおよびパラフィンのうちのいずれかからなるとともに常温以上の融点を有する融解・凝固式ワーク固定剤１２が、充填されてなる。
【００７９】
具体的には、紙製の円筒体１００に対して、この円筒体１００の一方側を封止する紙底１０１が取り付けられており、固定剤１２は、この円筒体１００の内部に充填されるとともに一部が円筒体１００の他方側から露出した固定剤露出部１２ａとなっている。
【００８０】
この固定剤１２としては、上記第１実施形態に示した固定剤と同様、硝酸カルシウム四水和物、ポリエチレングリコールおよびパラフィンのうちのいずれかに、有色の顔料が添加されたものであってもよいし、添加されていないものでもよい。つまり、本実施形態の固定剤１２は、単にワーク固定剤として使用してもよいし、上記第１実施形態で述べたように、色および溶け具合を利用した温度センサとしても使用することができる。
【００８１】
このように、本実施形態の被覆体２００は、固定剤１２を紙筒にて被覆した紙筒被覆品として構成されている。
【００８２】
このような本実施形態の被覆体２００は、適度の厚みをもった紙底１０１付きの円筒体１００に、固定剤１２を融解して充填する。ここで、円筒体１００および紙底１０１を構成する紙は、手で剥がしやす易く、且つ固定剤１２を保護するに十分な強度を持った厚さのものを選択する。
【００８３】
円筒体１００および紙底１０１を構成する紙があまり薄いと、強度が弱くなるので円筒状にきれいに形成することができないし、逆に、当該紙があまり厚いと、紙を剥がしにくくなる。
【００８４】
そして、固定剤１２を冷却した後、円筒体１００の先端部の紙をナイフで切ってはがし、固定剤露出部１２ａを形成する。
【００８５】
この紙筒被覆品としての被覆体２００を使用する場合には、固定剤露出部１２ａを、融点以上に加熱したワークや、土台等に塗ることによって固定剤１２の塗布を行う。
【００８６】
このとき、作業者は、紙製の円筒体１００の部分を手で持って作業を行えばよいため、作業性が向上するとともに、円筒体１００による固定剤１２の保護がなされるため、運搬、保存時における固定剤１２の割れや欠け、変形等を防止することができる。
【００８７】
このように、本実施形態の被覆体２００によれば、環境にやさしい物質からなる融解・凝固式組成物である固定剤１２が、紙製の円筒体１００の内部に充填され、固定剤１２は円筒体１００にて被覆保護された形になるため、環境にやさしく且つ取り扱い性にすぐれた融解・凝固式ワーク固定剤を提供することができる。
【００８８】
限定するものではないが、次に、本実施形態の紙筒被覆品としての被覆体２００の具体例を挙げて説明しておく。
【００８９】
［具体例３］
図３に示すように、外径Ｄ１：２０ｍｍ、長さＬ：１１０ｍｍ、紙の厚さが０．２５ｍｍの紙製の円筒体１００に、約３ｍｍの厚紙で出来た紙底１０１をつけた容器に、固定剤１２である液体状態の融点７５℃のパラフィンを流し込み、室温まで自然冷却して固化させる。
【００９０】
その後、円筒体１００の開口部側の先端部を必要な長さだけナイフで切り取り、固定剤露出部１２ａを形成する。その他の部分は円筒体１００のついたままで良い。こうして、本実施形態の被覆体２００を作製する。なお、図３中の長さＬは、固定剤露出部１２ａを形成するために切り取られる前の円筒体１００の長さを示している。
【００９１】
上述したように、このような紙筒被覆品としての被覆体２００は、手で持って作業する時に能率的であり、運搬、保存時の固定剤１２の割れや欠け、変形を防止することができる。
【００９２】
本例における被覆体２００の使い方は、次のとおりである。ホットプレートの上にワーク固定台を置き表面温度が９０℃になるまで加熱する。この加熱されたワーク固定台の表面に、被覆体２００を手で持って、固定剤露出部１２ａを塗りつける。
【００９３】
すると、塗りつけられた固定剤１２は瞬間的に融解し、ワーク固定台の表面に拡がるので、ワークとしてのカーボン板（たとえば、板厚１ｍｍ）をその上に置く。
【００９４】
そして、固定剤１２を固化させるためには、ホットプレートの電源を切って、ワーク固定台をそのままにしておいて徐々に室温まで冷却しても良いし、ワーク固定台を研削盤テーブル上に移し換えて、すばやく室温まで冷却しても良い。
【００９５】
この状態において、ワークであるカーボン板は、固化した固定剤１２によって、ワーク固定台の上にしっかり固定されているので、その後のクーラント（研削水）を振りかけながらの研削加工を容易に行うことができる。
【００９６】
（第３実施形態）
本発明の第３実施形態では、環境にやさしく且つ導電性を有する新規な融解・凝固式組成物を提供する。
【００９７】
本実施形態の組成物は、硝酸カルシウム四水和物、ポリエチレングリコールおよびパラフィンのうちのいずれかからなるとともに常温以上の融点を有するものであり、さらに、導電性のパウダーが添加されてなる。
【００９８】
具体的に、導電性のパウダーとしては、カーボンパウダーや銀パウダー等を採用することができる。
【００９９】
これらのパウダーは、導電性があるので、本実施形態の組成物は、放電加工時のワーク固定における融解・凝固式ワーク固定剤として用いることができるほか、組成物自身を電極として構成したり、電極が欠損したりしたときなどの補修用の部材などに使用することができる。
【０１００】
また、カーボンパウダーは、黒色であるので、上記第１実施形態にて述べたような色付きの固定剤や温度センサとしても使用することができる。
【０１０１】
限定するものではないが、次に、本実施形態の組成物を上記第２実施形態にて述べたような紙筒被覆品としての被覆体に適用した具体例について、説明しておく。
【０１０２】
［具体例４］
ホットプレート上で融点７５℃のパラフィンを溶かし、その中に重量比で６０％のカーボンパウダー（平均粒径：６ミクロン）を添加し、均一に混じるようによく攪拌した。このカーボン添加品を固定剤として用いて上記具体例３と同様の方法で紙筒被覆品としての被覆体（図３参照）を作製した。
【０１０３】
この被覆体を用いて、やはり、上記具体例３と同様の方法で、ワークをワーク固定台の上に固定した。そして、このワ−クに対してワイヤー放電加工を行ったところ、正常に加工切断することができた。なお、カーボンパウダーを添加しない場合は、固定剤に導電性がないので、切断できなかった。
【図面の簡単な説明】
【０１０４】
【図１】本発明の第１実施形態に係る機械加工法に用いられる加工装置を示す概略構成図である。
【図２】図１中のワーク固定台の近傍部を示す拡大図である。
【図３】本発明の第２実施形態に係る固定剤の外観斜視構成を示す図である。
【符号の説明】
【０１０５】
１２…固定剤、１００…円筒体、１０１…本体部。
【図１】
2005131759.tif 000003
【図２】
2005131759.tif 000004
【図３】
2005131759.tif 000005